(57)【要約】【課題】薄型性を保持しつつ入力信号ケーブルの取り回しの適正化を可能とする表示装置を提供する。【解決手段】表示装置２は、複数の送信電極３１を有する平板状のインターフェースユニット３の複数の送信電極３１から入力信号を受信するように配置された複数の受信電極２１を有するコネクタユニット２０と、入力信号に含まれる入力データの配列を決定する信号処理部２５と、信号処理部２５によって決定された配列の入力データに応じて映像出力処理を行う表示出力部と、を有する。複数の受信電極は、インターフェースユニットが対向配置される所定の領域において、インターフェースユニットの面内回転角によって定義される複数の接続方向のそれぞれにおいて複数の送信電極と対向するように配置されており、信号処理部は、インターフェースユニットの接続方向に応じて入力データの配列を決定する。【選択図】  図３
2020102063.tif 000002
【特許請求の範囲】
【請求項１】
複数の送信電極を有する平板状のインターフェースユニットの前記複数の送信電極から入力信号を受信するように構成された複数の受信電極を有するコネクタユニットと、
前記入力信号に含まれる入力データの配列を決定する信号処理部と、
前記信号処理部によって決定された配列の前記入力データに応じて映像出力処理を行う表示出力部と、を有し、
前記複数の受信電極は、前記インターフェースユニットが対向配置される所定の領域において、前記インターフェースユニットの面内回転角によって定義される複数の接続方向のそれぞれにおいて前記複数の送信電極と対向するように配置されており、
前記信号処理部は、前記インターフェースユニットの接続方向に応じて前記入力データの配列を決定する
ことを特徴とする表示装置。
【請求項２】
前記複数の受信電極は、回転対称に配置されている
ことを特徴とする請求項１記載の表示装置。
【請求項３】
前記コネクタユニットが検知端子を備え、
前記信号処理部は、前記インターフェースユニットから前記検知端子に入力される検知信号に基づいて前記接続方向を識別する方向識別部、及び前記方向識別部によって識別された接続方向に応じて前記入力データの配列を決定する配列決定部を含む
ことを特徴とする請求項１又は２記載の表示装置。
【請求項４】
前記検知端子は、前記複数の受信電極以外の電極であり、
前記検知信号は、前記入力信号とは異なる
ことを特徴とする請求項３記載の表示装置。
【請求項５】
前記検知端子は、前記複数の受信電極の一部であり、
前記検知信号は、前記入力信号に含まれる既知の特定の信号であり、
前記方向識別部は、前記既知の特定の信号を受信する受信電極の位置に基づいて前記接続方向を識別するように構成されている
ことを特徴とする請求項３記載の表示装置。
【請求項６】
前記検知端子は、前記複数の受信電極の一部であり、
前記方向識別部は、信号が入力されない電極の位置に基づいて前記接続方向を識別するように構成されている
ことを特徴とする請求項３記載の表示装置。
【請求項７】
前記入力信号は、前記複数の送信電極から前記複数の受信電極に電磁界結合によって非接触伝送されるように構成されている
ことを特徴とする請求項１乃至６のいずれか１項に記載の表示装置。
【請求項８】
前記入力信号は、前記複数の送信電極と前記複数の受信電極との間の物理的な接触を介して伝送されるように構成されている
ことを特徴とする請求項１乃至６のいずれか１項に記載の表示装置。
【請求項９】
前記表示出力部は、ソースドライバ及びゲートドライバを制御するタイミングコントローラを含み、
前記タイミングコントローラは、前記信号処理部の全部又は一部を含む
ことを特徴とする請求項１乃至８のいずれか１項に記載の表示装置。
【請求項１０】
前記コネクタユニットは、前記インターフェースユニットを位置決めするように構成された磁石若しくは磁性体、前記インターフェースユニットが嵌合される凹部、又は前記インターフェースユニットの一部分に対して嵌合される突起部若しくは受容部を有する
ことを特徴とする請求項１乃至９のいずれか１項に記載の表示装置。
【請求項１１】
前記コネクタユニットは、表示面の背面に設けられている
ことを特徴とする請求項１乃至１０のいずれか１項に記載の表示装置。
【請求項１２】
請求項１記載の表示装置の前記コネクタユニットに接続可能なインターフェースユニットであって、
基板と、
前記基板に固定された入力信号ケーブルと、
前記基板に配置された前記複数の送信電極と、
前記入力信号ケーブルから受信される前記入力信号を前記複数の送信電極のうちの対応する送信電極に供給する制御回路と
を有することを特徴とするインターフェースユニット。
【請求項１３】
前記複数の送信電極は、回転対称に配置され、又は該配置から不使用電極が除かれて配置されている
ことを特徴とする請求項１２記載のインターフェースユニット。
【請求項１４】
送信側検知端子を更に有し、
前記コネクタユニットは、受信側検知端子を備え、
前記制御回路は、検知信号を前記送信側検知端子に送信するように構成され、
前記信号処理部は、前記送信側検知端子から前記受信側検知端子に入力される前記検知信号に基づいて前記接続方向を識別する方向識別部、及び前記方向識別部によって識別された接続方向に応じて前記入力データの配列を決定する配列決定部を含む
ことを特徴とする請求項１２又は１３記載のインターフェースユニット。
【請求項１５】
前記入力信号は、前記複数の送信電極から前記複数の受信電極に電磁界結合によって非接触伝送されるように構成されている
ことを特徴とする請求項１２乃至１４のいずれか１項に記載のインターフェースユニット。
【請求項１６】
前記入力信号は、前記複数の送信電極と前記複数の受信電極との間の物理的な接触を介して伝送されるように構成されている
ことを特徴とする請求項１２乃至１４のいずれか１項に記載のインターフェースユニット。
【請求項１７】
前記コネクタユニットに対して位置決めされるように構成された磁石若しくは磁性体、前記コネクタユニットに嵌合される全体形状、又は前記コネクタユニットの一部分に対して嵌合される受容部若しくは突起部を有する
ことを特徴とする請求項１２乃至１６のいずれか１項に記載のインターフェースユニット。
【請求項１８】
請求項１乃至１１のいずれか１項に記載された表示装置と、
前記インターフェースユニットと
を有することを特徴とする表示システム。
【発明の詳細な説明】
【技術分野】
【０００１】
本発明は、表示装置、インターフェースユニット及び表示システムに関する。
【背景技術】
【０００２】
一般に、表示装置のＨＤＭＩ（登録商標）端子、ＤｉｓｐｌａｙＰｏｒｔ端子などの映像端子は表示装置の一端部において特定の向きに設置され、入力信号ケーブルがその向きに従って映像端子に接続される。すなわち、表示装置の外部から入力信号ケーブルを映像端子に接続する方向は、一方向に限定される。また、フレキシブルプリント基板（ＦＰＣ）を用いた入力信号ケーブルが採用される表示装置においても、入力信号ケーブルの接続方向は一方向に限られる。そのため、表示装置の設置状況によっては、入力信号ケーブルの引回しが煩雑となるなどの問題があった。
【０００３】
上記問題に関して、表示装置の接続端子であるコネクタに対してケーブルを２方向から接続することを可能とした構成が、特許文献１に開示されている。特許文献１のタブレットディスプレイは、画面表示の通常使用又は回転使用のいずれかを指定する回転使用スイッチを有する。そして、回転使用スイッチの状態に応じて、通常の入力及び表示に対応する通常使用モードと、タブレットからの入力座標が１８０度回転されて表示される回転使用モードとが切り換えられる。更に、タブレットディスプレイに接続されるケーブルは、タブレットディスプレイのコネクタに対して１８０度回転可能に接続される。この１８０度回転可能な接続を実現するために、コネクタとケーブルとはヒンジを介して接続される。
【先行技術文献】
【特許文献】
【０００４】
【特許文献１】特開平６−２０８４４９号公報
【発明の概要】
【発明が解決しようとする課題】
【０００５】
しかし、特許文献１の構成は、コネクタとケーブルの接続にヒンジを要し、表示装置の厚さを増加させてしまい、ますます薄型化される傾向にある表示装置の技術動向に対応できない。したがって、表示装置の薄型化を実現しつつも、入力信号ケーブルの取り回しを適正化する構成が望まれる。
【０００６】
そこで、本発明は、薄型性を保持しつつ入力信号ケーブルの取り回しの適正化を可能とする表示装置を提供することを課題とする。また、本発明は、その表示装置に適したインターフェースユニット、及びその表示装置を用いた表示システムを提供することを課題とする。
【課題を解決するための手段】
【０００７】
本発明の一態様によれば、複数の送信電極を有する平板状のインターフェースユニットの複数の送信電極から入力信号を受信するように配置された複数の受信電極を有するコネクタユニットと、入力信号に含まれる入力データの配列を決定する信号処理部と、信号処理部によって決定された配列の入力データに応じて映像出力処理を行う表示出力部と、を有し、複数の受信電極は、インターフェースユニットが対向配置される所定の領域において、インターフェースユニットの面内回転角によって定義される複数の接続方向のそれぞれにおいて複数の送信電極と対向するように配置されており、信号処理部は、インターフェースユニットの接続方向に応じて入力データの配列を決定する表示装置が提供される。
【０００８】
本発明の他の態様によれば、上記表示装置のコネクタユニットに接続可能なインターフェースユニットであって、基板と、基板に固定された入力信号ケーブルと、基板に配置された複数の送信電極と、入力信号ケーブルから受信される入力信号を複数の送信電極のうちの対応する送信電極に供給する制御回路とを有するインターフェースユニットが提供される。
【０００９】
本発明の更に他の態様によれば、上記表示装置と、上記インターフェースユニットとを有する表示システムが提供される。
【発明の効果】
【００１０】
本発明によれば、薄型性を保持しつつ入力信号ケーブルの取り回しの適正化を可能とする表示装置、その表示装置に適したインターフェースユニット、及びその表示装置を用いた表示システムが実現される。
【図面の簡単な説明】
【００１１】
【図１】第１実施形態による表示システムを示すブロック図である。
【図２】第１実施形態による表示装置のコネクタユニット及びインターフェースユニットを示す側面図である。
【図３】第１実施形態による表示装置のコネクタユニット及びインターフェースユニットを示す平面図である。
【図４Ａ】第１実施形態による入力データの再配列を説明する図である。
【図４Ｂ】第１実施形態による入力データの再配列を説明する図である。
【図４Ｃ】第１実施形態による入力データの再配列を説明する図である。
【図５】第１実施形態の第１の変形例による表示装置のコネクタユニット及びインターフェースユニットを示す平面図である。
【図６】第１実施形態の第２の変形例による表示装置のコネクタユニット及びインターフェースユニットを示す平面図である。
【図７】第１実施形態の第３の変形例による表示装置のコネクタユニット及びインターフェースユニットを示す平面図である。
【図８】第１実施形態の第４の変形例による表示装置のコネクタユニット及びインターフェースユニットを示す平面図である。
【図９】第１実施形態の第５及び第６の変形例による表示装置のコネクタユニット及びインターフェースユニットを示す平面図である。
【図１０】第１実施形態の第７の変形例による表示装置のコネクタユニット及びインターフェースユニットを示す平面図である。
【図１１】第２実施形態による表示装置及びインターフェースユニットの第１の実施例を示す側方断面図である。
【図１２】第２実施形態による表示装置及びインターフェースユニットの第２の実施例を示す側方断面図である。
【発明を実施するための形態】
【００１２】
［第１実施形態］
図１に、本発明の第１実施形態による表示システム１のブロック図を示す。表示システム１は、表示装置２及びインターフェースユニット３（Ｉ／Ｆユニット３）を含む。表示装置２は、壁掛け型、据え置き型などのディスプレイである。映像発生装置４は、入力映像信号などを含む入力信号の送信元となるサーバ、コンピュータ、送信設備などである。インターフェースユニット３は、映像発生装置４から入力信号ケーブルＣ（以下、「ケーブルＣ」という）を介して伝送される入力信号及び後述の検知信号を表示装置２に入力するためのインターフェースである。
【００１３】
表示装置２は、コネクタユニット２０、信号処理部２５、タイミングコントローラ２６、ソースドライバ２７、ゲートドライバ２８及び表示パネル２９を備える。なお、タイミングコントローラ２６、ソースドライバ２７、ゲートドライバ２８及び表示パネル２９をまとめて表示出力部ともいう。表示パネル２９は、行列配置された有機発光ダイオード（ＯＬＥＤ）の画素を有する画像表示部であってもよいし、行列配置された薄膜トランジスタ（ＴＦＴ）の画素を有する液晶ディスプレイ（ＬＣＤ）であってもよい。
【００１４】
コネクタユニット２０は、インターフェースユニット３から受信される入力信号及び検知信号を信号処理部２５に中継する。入力信号は、入力映像信号、垂直同期信号、水平同期信号、クロック信号、入力イネーブル信号などを含む。詳細を後述するように、検知信号は、４値を表す信号（２ビット信号、４レベルのＤＣ固定信号など）である。
【００１５】
信号処理部２５はＣＰＵ２５０及びメモリ２５３を含み、ＣＰＵ２５０は方向識別部２５１及び配列決定部２５２を含む。信号処理部２５は、インターフェースユニット３から入力された入力信号及び検知信号に基づいて、入力信号に含まれる入力データの配列（マップ）を決定する。ＣＰＵ２５０は、メモリ２５３、方向識別部２５１及び配列決定部２５２に関する動作を統括制御する。また、ＣＰＵ２５０は、以下に明記する信号処理部２５の処理以外の適宜の処理（例えば、受信した入力信号の増幅、パルス成形、入力信号の信号形式の変換など）を必要に応じて実行する。メモリ２５３は、プログラム、マップなどを記憶するＲＯＭ、入力データなどを記憶するＲＡＭなどの記憶部である。なお、信号処理部２５の全部又は一部は、タイミングコントローラ２６に含まれてもよい。言い換えると、タイミングコントローラ２６は、信号処理部２５の全部又は一部を含んでいてもよい。この場合、ＣＰＵ、メモリなどが、信号処理部２５及びタイミングコントローラ２６によって共有され得る。また、信号処理部２５は、コネクタユニット２０の基板２０ａにＩＣなどの形態で実装されてもよい。これにより、既存の表示装置２に対して１枚の基板２０ａを追加するだけで本発明が適用可能となる。
【００１６】
方向識別部２５１は、検知信号に基づいてコネクタユニット２０に対するインターフェースユニット３の接続方向を識別する。なお、接続方向は、後述の説明から分かるように、コネクタユニット２０に対するインターフェースユニット３の面内回転角によって定義される。配列決定部２５２は、入力データをメモリ２５３に格納し、方向識別部２５１によって識別された接続方向に基づいて、メモリ２５３に格納された入力データの配列を決定する配列決定処理を行う。そして、配列決定部２５２は、配列決定処理が行われた入力データをタイミングコントローラ２６に出力する。なお、配列決定処理は、入力データの配列を維持する処理（以下、「配列維持処理」という）及び入力データの配列を変更する処理（以下、「再配列処理」という）の双方を含む。コネクタユニット２０の構造、検知信号の形式、信号処理部２５での配列決定処理などについては、詳細を後述する。
【００１７】
ソースドライバ２７は、データラインＤＬにデータ電圧を印加し、データラインＤＬに接続された画素を駆動する。ゲートドライバ２８は、ゲートラインＧＬに走査信号（ハイレベル又はローレベル）を順次供給し、表示パネル２９を構成する画素のうちのゲートラインＧＬに接続された画素を順次駆動する。タイミングコントローラ２６は、信号処理部２５から入力される入力信号に基づいてソースドライバ２７及びゲートドライバ２８を統括制御する。具体的には、タイミングコントローラ２６は、シリアル信号である映像入力信号をパラレル化し、ゲートラインＧＬを走査するタイミングに合わせてそれぞれのデータラインＤＬに印加すべきデータ電圧を制御する。このように、入力信号に基づいてタイミングコントローラ２６、ソースドライバ２７及びゲートドライバ２８において映像出力処理が行われ、入力信号に基づく映像が表示パネル２９に表示される。
【００１８】
図２及び図３を参照して、本実施形態による表示装置２のコネクタユニット２０及びインターフェースユニット３の構成を説明する。図２に、コネクタユニット２０及びインターフェースユニット３の側面図を示す。図３（ａ）にコネクタユニット２０の平面図を示し、図３（ｂ）にインターフェースユニット３の平面図を示す。なお、本開示の各図は模式図であり、寸法通りとは限らない。
【００１９】
図２に示すように、コネクタユニット２０は、表示装置２の背面２ｂ（表示装置２の表示面の裏面）の外壁に設けられた基板２０ａを有する。インターフェースユニット３は、基板３ａ及びそれを覆う筐体３ｃを有し、全体として平板状である。インターフェースユニット３をコネクタユニット２０に接続する際に基板３ａのコネクタユニット２０に対向する面を主面３ａａといい、主面３ａａの裏面を背面３ａｂというものとする。背面３ａｂの一端部において入力信号ケーブル３０（以下、「ケーブル３０」という）の一端が基板３ａに実装及び固定され、ケーブル３０の他端（不図示）までがインターフェースユニット３の構成要素となる。したがって、ケーブル３０は、図１に示したケーブルＣの一部又は全部を構成する。ケーブル３０がケーブルＣの一部である場合には、ケーブル３０の他端は適宜のコネクタを介して別途のケーブルの一端に接続され、その別途のケーブルの他端が映像発生装置４に接続される。ケーブル３０がケーブルＣの全部である場合には、ケーブル３０の他端が映像発生装置４に接続される。
【００２０】
インターフェースユニット３をコネクタユニット２０に接続する際に、基板３ａは基板２０ａに対して所定の箇所で位置決めされ、主面３ａａが基板２０ａの外側の面に対向配置される。インターフェースユニット３とコネクタユニット２０との位置決めは、例えば、インターフェースユニット３に配置された不図示の磁石とコネクタユニット２０に配置された不図示の磁性体（磁石に対して引力を示す部材）又は不図示の磁石（上記磁石と逆極性の磁石）との引力を用いて実施され得る。あるいは、インターフェースユニット３とコネクタユニット２０との位置決めは、コネクタユニット２０に配置された磁石とインターフェースユニット３に配置された磁性体（磁石に対して引力を示す部材）又は磁石（上記磁石と逆極性の磁石）との引力を用いて実施され得る。
【００２１】
本実施形態では、インターフェースユニット３とコネクタユニット２０との間（対向する電極間又は対向する端子間）の信号伝送に関して、基板３ａと基板２０ａとは、電磁界結合によって非接触な態様で、すなわち、無線伝送によって結合され得る。あるいは、基板３ａと基板２０ａとはコンタクトピン等を用いた物理的な接触によって電気的に結合されてもよい。なお、非接触結合の場合、基板２０ａは、背面２ｂの内壁側に設けられてもよい。
【００２２】
図３（ａ）は、インターフェースユニット３側から見たコネクタユニット２０（基板２０ａ）の平面図である。コネクタユニット２０は、受信電極２１Ａ〜２１Ｐ及び受信側接続方向検知用端子（以下、「受信側検知端子」という）２２を備える。なお、本開示の各図において、図の明瞭化のため、受信電極２１Ａ〜２１Ｐをそれぞれ電極内に表記されるアルファベットＡ〜Ｐで示す。また、以降の説明において、受信電極２１Ａ〜２１Ｐを総称して又はいずれか１つを代表して受信電極２１というものとする。受信電極２１及び受信側検知端子２２の各々は、不図示の配線を介して信号処理部２５に接続される。
【００２３】
本実施形態では、受信電極２１Ａ〜２１Ｐは、４×４の正方行列状に配置される。ただし、受信電極２１の個数は１６個に限定されず、表示装置２の仕様又は入力信号の仕様に応じて適切な個数の受信電極２１が配置され得る。例えば、受信電極２１がＨＤＭＩ（登録商標）端子（例えば１９ピン）の代替である場合には、受信電極２１は５×５の正方行列状に配置され、そのうちの６個の電極が不使用電極となる。あるいは、受信電極２１がＤｉｓｐｌａｙＰｏｒｔ端子（例えば２０ピン）の代替である場合には、受信電極２１は５×５の正方行列状に配置され、そのうちの５個の電極が不使用電極となる。
【００２４】
また、受信電極２１の配置は、後述の説明から分かるように、回転対称である限り、正方形に限らず、正八角形状、十字形状、卍形状、円形状、正方形枠形状、正八角形枠形状、円環状など、又はこれらの組合せであってもよい。なお、本開示において９０度回転対称とは、全受信電極２１が構成する平面内で全受信電極２１の重心位置を中心として、全受信電極２１を９０度、１８０度又は２７０度回転したとしても、全受信電極２１の配置が外観上同じ形状となる態様をいうものとする。また、受信電極２１の各々の形状は、図示するような正方形でなくてもよく、正方形以外の多角形や円形などであってもよい。
【００２５】
また、ここでは受信電極２１を正方格子状に配置し、９０度回転対称となるように構成したが、受信電極２１の配置は正方格子状に限定されるものではない。例えば、受信電極２１を六方格子状に配置し、６０度回転対称となるように構成してもよい。
【００２６】
受信側検知端子２２は、受信電極２１Ａ〜２１Ｐの正方行列の外部の所定位置（例えば、コネクタユニット２０の角部）に配置される。詳細を後述するように、受信側検知端子２２は、受信電極２１Ａ〜２１Ｐの重心位置以外であれば、他の位置に配置されてもよい。
【００２７】
図３（ｂ）は、インターフェースユニット３（基板３ａ）を背面３ａｂ側から見た場合の透過平面図である。インターフェースユニット３は、ケーブル３０、送信電極３１Ａ〜３１Ｐ、送信側接続方向検知用端子（以下、「送信側検知端子」という）３２Ｗ〜３２Ｚ及び制御回路３５を備える。なお、本開示の各図において、図の明瞭化のため、送信電極３１Ａ〜３１Ｐをそれぞれ電極内に表記されるアルファベットＡ〜Ｐで示し、送信側検知端子３２Ｗ〜３２Ｚをそれぞれ端子内に表記されるアルファベットＷ〜Ｚで示す。また、以降の説明において、送信電極３１Ａ〜３１Ｐを総称して又はいずれか１つを代表して送信電極３１というものとし、送信側検知端子３２Ｗ〜３２Ｚを総称して又はいずれか１つを代表して送信側検知端子３２というものとする。ケーブル３０は制御回路３５に接続され、制御回路３５は不図示の配線を介して送信電極３１及び送信側検知端子３２の各々に接続される。
【００２８】
送信電極３１Ａ〜３１Ｐは、受信電極２１Ａ〜２１Ｐと同様に、４×４の正方行列状に配置される。したがって、送信電極３１の個数は１６個に限定されず、インターフェースユニット３の仕様又は入力信号の仕様に応じて適切な個数の送信電極３１が配置され得る。例えば、送信電極３１がＨＤＭＩ（登録商標）端子（例えば１９ピン）の代替である場合には、送信電極３１は５×５の正方行列状に配置され、そのうちの６個の電極が不使用電極となる。また、送信電極３１がＤｉｓｐｌａｙＰｏｒｔ端子（例えば２０ピン）の代替である場合には、送信電極３１は５×５の正方行列状に配置され、そのうちの５個の電極が不使用電極となる。なお、送信電極３１に不使用電極がある場合には、その電極（例えば、電極パッド）は設けられなくてもよい。
【００２９】
また、送信電極３１の配置は、受信電極２１と同様に、回転対称である限り、正方形に限らず、正八角形状、十字形状、卍形状、円形状、正方形枠形状、正八角形枠形状、円環状など、又はこれらの組合せであってもよい。送信電極３１の配置が正方格子状に限定されない点も、受信電極２１と同様である。送信電極３１Ａ〜３１Ｐの配置は、受信電極２１Ａ〜２１Ｐの配置に対応する。言い換えると、全送信電極３１の各々が全受信電極２１の各々に一致して対向するように、インターフェースユニット３がコネクタユニット２０に対して位置決めされるものとする。また、送信電極３１の各々の形状は、正方形でなくてもよく、円形などであってもよい。
【００３０】
本開示において、説明の便宜上、インターフェースユニット３がコネクタユニット２０に対して面内回転されず、送信電極３１Ａが受信電極２１Ａに対応する接続状態（面内回転角＝０度）を０度回転接続という。また、インターフェースユニット３がコネクタユニット２０に対して反時計回りに９０度面内回転され、送信電極３１Ａが受信電極２１Ｍに対応する状態（面内回転角＝９０度）を９０度回転接続という。また、インターフェースユニット３がコネクタユニット２０に対して１８０度面内回転され、送信電極３１Ａが受信電極２１Ｐに対応する状態（面内回転角＝１８０度）を１８０度回転接続という。また、インターフェースユニット３がコネクタユニット２０に対して時計回りに９０度又は反時計回りに２７０度面内回転され、送信電極３１Ａが受信電極２１Ｄに対応する状態（面内回転角＝−９０度又は２７０度）を−９０度回転接続又は２７０度回転接続という。信号処理部２５において、０度回転接続の場合には配列維持処理が行われ、９０度回転接続、１８０度回転接続及び−９０度回転接続の場合には再配列処理が行われる。
【００３１】
送信側検知端子３２Ｗ〜３２Ｚは、本実施形態では、コネクタユニット２０の基板２０ａ上で全送信電極３１の重心位置に関して９０度回転対称に配置される。例えば、送信側検知端子３２Ｗは送信電極３１Ａ付近の基板角部、送信側検知端子３２Ｘは送信電極３１Ｄ付近の基板角部、送信側検知端子３２Ｙは送信電極３１Ｍ付近の基板角部、送信側検知端子３２Ｚは送信電極３１Ｐ付近の基板角部に配置される。その上で、接続方向に応じて、送信側検知端子３２のいずれか１つが受信側検知端子２２に一致する。
【００３２】
上述したように、送信側検知端子３２には、例えば２ビット信号が供給される。例えば、送信側検知端子３２Ｗには「００」を表すパルス変調信号、送信側検知端子３２Ｘには「０１」を表すパルス変調信号、送信側検知端子３２Ｙには「１０」を表すパルス変調信号、送信側検知端子３２Ｚには「１１」を表すパルス変調信号が供給される。あるいは、４値のＤＣ固定電圧が送信側検知端子３２に供給されてもよい。例えば、送信側検知端子３２Ｗには０Ｖ、送信側検知端子３２Ｘには１．７Ｖ、送信側検知端子３２Ｙには３．３Ｖ、送信側検知端子３２Ｚには５Ｖが供給される。
【００３３】
制御回路３５は、例えば制御ＩＣであり、ケーブル３０から入力された入力信号を対応する送信電極３１の各々に（必要に応じて所定の信号形式に変換して）供給するように構成される。また、制御回路３５は、入力信号を電源として所定の検知信号を生成し、その検知信号を送信側検知端子３２の各々に供給する。すなわち、映像発生装置４からの入力信号が制御回路３５に入力されると、入力データが所定の配列で送信電極３１Ａ〜３１Ｐに供給されるとともに、４種の検知信号が送信側検知端子３２Ｗ〜３２Ｚに供給される。更に、入力データが送信電極３１の各々から受信電極２１の各々に非接触又は接触伝送されるとともに検知信号が送信側検知端子３２Ｗ〜３２Ｚのいずれかから受信側検知端子２２に非接触又は接触伝送され、この入力信号及び検知信号がコネクタユニット２０から信号処理部２５に中継される。
【００３４】
次に、図４Ａ〜図４Ｃを用いて、信号処理部２５における配列決定処理、特に再配列処理を説明する。図４Ａ、図４Ｂ及び図４Ｃは、それぞれ９０度回転接続の場合、１８０度回転接続の場合及び−９０度回転接続の場合について、受信電極２１及び受信側検知端子２２に対する送信電極３１及び送信側検知端子３２の対応関係を示す。なお、図４Ａ〜図４Ｃの各々において、左図（ａ）はコネクタユニット２０の平面図を示し、右図（ｂ）はインターフェースユニット３を背面３ａｂ側から見た場合の透過平面図を示す。
【００３５】
図４Ａにおいて、受信側検知端子２２は送信側検知端子３２Ｘに対応する。これにより、方向識別部２５１は、送信側検知端子３２Ｘから供給される検知信号（例えば、「０１」を表すパルス変調信号又は（接触伝送の場合には）１．７ＶのＤＣ固定信号）に基づいて９０度回転接続を識別する。また、受信電極２１と送信電極３１の対応関係を符号のみで表すと、２１Ａ＝３１Ｄ、２１Ｂ＝３１Ｈ、２１Ｃ＝３１Ｌ、２１Ｄ＝３１Ｐ、２１Ｅ＝３１Ｃ、２１Ｆ＝３１Ｇ、２１Ｇ＝３１Ｋ、２１Ｈ＝３１Ｏ、２１Ｉ＝３１Ｂ、２１Ｊ＝３１Ｆ、２１Ｋ＝３１Ｊ、２１Ｌ＝３１Ｎ、２１Ｍ＝３１Ａ、２１Ｎ＝３１Ｅ、２１Ｏ＝３１Ｉ、及び２１Ｐ＝３１Ｍとなる。したがって、配列決定部２５２は、送信電極３１からの入力データを、３１Ｄ→３１Ａ、３１Ｈ→３１Ｂ、３１Ｌ→３１Ｃ、３１Ｐ→３１Ｄ、３１Ｃ→３１Ｅ、３１Ｇ→３１Ｆ、３１Ｋ→３１Ｇ、３１Ｏ→３１Ｈ、３１Ｂ→３１Ｉ、３１Ｆ→３１Ｊ、３１Ｊ→３１Ｋ、３１Ｎ→３１Ｌ、３１Ａ→３１Ｍ、３１Ｅ→３１Ｎ、３１Ｉ→３１Ｏ、及び３１Ｍ→３１Ｐと変換して入力データを再配列する。信号処理部２５は、再配列された入力データを入力信号としてタイミングコントローラ２６に出力する。これにより、表示出力部（タイミングコントローラ２６、ソースドライバ２７、ゲートドライバ２８及び表示パネル２９）は、０度回転接続の場合と同様の映像出力処理によって表示パネル２９上での表示出力を行うことができる。
【００３６】
図４Ｂにおいて、受信側検知端子２２は送信側検知端子３２Ｚに対応する。これにより、方向識別部２５１は、送信側検知端子３２Ｚから供給される検知信号（例えば、「１１」を表すパルス変調信号又は（接触伝送の場合には）５ＶのＤＣ固定信号）に基づいて１８０度回転接続を識別する。また、受信電極２１と送信電極３１の対応関係を符号のみで表すと、２１Ａ＝３１Ｐ、２１Ｂ＝３１Ｏ、２１Ｃ＝３１Ｎ、２１Ｄ＝３１Ｍ、２１Ｅ＝３１Ｌ、２１Ｆ＝３１Ｋ、２１Ｇ＝３１Ｊ、２１Ｈ＝３１Ｉ、２１Ｉ＝３１Ｈ、２１Ｊ＝３１Ｇ、２１Ｋ＝３１Ｆ、２１Ｌ＝３１Ｅ、２１Ｍ＝３１Ｄ、２１Ｎ＝３１Ｃ、２１Ｏ＝３１Ｂ、及び２１Ｐ＝３１Ａとなる。したがって、配列決定部２５２は、送信電極３１からの入力データを、３１Ｐ→３１Ａ、３１Ｏ→３１Ｂ、３１Ｎ→３１Ｃ、３１Ｍ→３１Ｄ、３１Ｌ→３１Ｅ、３１Ｋ→３１Ｆ、３１Ｊ→３１Ｇ、３１Ｉ→３１Ｈ、３１Ｈ→３１Ｉ、３１Ｇ→３１Ｊ、３１Ｆ→３１Ｋ、３１Ｅ→３１Ｌ、３１Ｄ→３１Ｍ、３１Ｃ→３１Ｎ、３１Ｂ→３１Ｏ、及び３１Ａ→３１Ｐと変換して入力データを再配列する。信号処理部２５は、再配列された入力データを入力信号としてタイミングコントローラ２６に出力する。これにより、表示出力部は、０度回転接続の場合と同様の映像出力処理によって表示パネル２９上での表示出力を行うことができる。
【００３７】
図４Ｃにおいて、受信側検知端子２２は送信側検知端子３２Ｙに対応する。これにより、方向識別部２５１は、送信側検知端子３２Ｙから供給される検知信号（例えば、「１０」を表すパルス変調信号又は（接触伝送の場合には）３．３ＶのＤＣ固定信号）に基づいて−９０度回転接続を識別する。また、受信電極２１と送信電極３１の対応関係を符号のみで表すと、２１Ａ＝３１Ｍ、２１Ｂ＝３１Ｉ、２１Ｃ＝３１Ｅ、２１Ｄ＝３１Ａ、２１Ｅ＝３１Ｎ、２１Ｆ＝３１Ｊ、２１Ｇ＝３１Ｆ、２１Ｈ＝３１Ｂ、２１Ｉ＝３１Ｏ、２１Ｊ＝３１Ｋ、２１Ｋ＝３１Ｇ、２１Ｌ＝３１Ｃ、２１Ｍ＝３１Ｐ、２１Ｎ＝３１Ｌ、２１Ｏ＝３１Ｈ、及び２１Ｐ＝３１Ｄとなる。したがって、配列決定部２５２は、送信電極３１からの入力データを、３１Ｍ→３１Ａ、３１Ｉ→３１Ｂ、３１Ｅ→３１Ｃ、３１Ａ→３１Ｄ、３１Ｎ→３１Ｅ、３１Ｊ→３１Ｆ、３１Ｆ→３１Ｇ、３１Ｂ→３１Ｈ、３１Ｏ→３１Ｉ、３１Ｋ→３１Ｊ、３１Ｇ→３１Ｋ、３１Ｃ→３１Ｌ、３１Ｐ→３１Ｍ、３１Ｌ→３１Ｎ、３１Ｈ→３１Ｏ、及び３１Ｄ→３１Ｐと変換して入力データを再配列する。信号処理部２５は、再配列された入力データを入力信号としてタイミングコントローラ２６に出力する。これにより、表示出力部は、０度回転接続の場合と同様の映像出力処理によって表示パネル２９上での表示出力を行うことができる。
【００３８】
このように、タイミングコントローラ２６は、コネクタユニット２０に対するインターフェースユニット３の接続方向にかかわらず、同じ処理によって、ソースドライバ２７及びゲートドライバ２８を制御することができる。言い換えると、既存の表示出力部を備える表示装置２において、その前段にコネクタユニット２０及び信号処理部２５を付加するだけで本実施形態の作用が得られる。
【００３９】
［接続方向識別の変形例］
なお、接続方向の識別手法は受信側検知端子２２及び送信側検知端子３２Ｗ〜３２Ｚを用いるものに限られず、種々の識別手法が採用され得る。以下、接続方向の識別手法の変形例を示す。なお、各変形例においては、上記実施形態との相違点を主に説明し、同一又は類似の構成の説明を省略又は簡略化する。
【００４０】
（１）第１の変形例
上記実施形態では、１個の受信側検知端子２２及び４個の送信側検知端子３２を用いる構成を示したが、本変形例では、１個の受信側検知端子２２及び３個の送信側検知端子３２を用いる構成を示す。図５に、本変形例によるコネクタユニット２０の平面図（左図（ａ））及びインターフェースユニット３を背面３ａｂ側から見た場合の透過平面図（右図（ｂ））を示す（０度回転接続の場合）。
【００４１】
インターフェースユニット３は、送信側検知端子３２Ｘ、３２Ｙ及び３２Ｚを有する。送信側検知端子３２には２ビット信号が供給される。例えば、送信側検知端子３２Ｘには「０１」を表すパルス変調信号、送信側検知端子３２Ｙには「１０」を表すパルス変調信号、送信側検知端子３２Ｚには「１１」を表すパルス変調信号が供給される。あるいは、接触伝送の場合には３値のＤＣ固定電圧が送信側検知端子３２に供給されてもよい。例えば、送信側検知端子３２Ｘには１．７Ｖ、送信側検知端子３２Ｙには３．３Ｖ、送信側検知端子３２Ｚには５Ｖが供給される。
【００４２】
０度回転接続の場合、受信側検知端子２２には送信側検知端子３２Ｘ〜３２Ｚのいずれも対応しない。方向識別部２５１はこの無入力状態に基づいて０度回転接続を識別し、配列決定部２５２はデフォルト設定の処理として配列維持処理を行う（再配列処理を行わない）。９０度回転接続の場合、受信側検知端子２２には送信側検知端子３２Ｘが対応する。したがって、方向識別部２５１は送信側検知端子３２Ｘからの検知信号（例えば、「０１」を表すパルス変調信号又は１．７ＶのＤＣ固定信号）に基づいて９０度回転接続を識別し、配列決定部２５２は図４Ａに関して説明した入力データの再配列処理を行う。１８０度回転接続の場合、受信側検知端子２２には送信側検知端子３２Ｙが対応する。したがって、方向識別部２５１は送信側検知端子３２Ｙからの検知信号（例えば、「１０」を表すパルス変調信号又は３．３ＶのＤＣ固定信号）に基づいて１８０度回転接続を識別し、配列決定部２５２は図４Ｂに関して説明した入力データの再配列処理を行う。−９０度回転接続の場合、受信側検知端子２２には送信側検知端子３２Ｚが対応する。したがって、方向識別部２５１は送信側検知端子３２Ｚからの検知信号（例えば、「１１」を表すパルス変調信号又は５ＶのＤＣ固定信号）に基づいて−９０度回転接続を識別し、配列決定部２５２は図４Ｃに関して説明した入力データの再配列処理を行う。本変形例によって、送信側検知端子３２の個数を減少させることができ、インターフェースユニット３が低コスト化され得る。
【００４３】
（２）第２の変形例
上記実施形態では、１個の受信側検知端子２２及び４個の送信側検知端子３２を用いる構成を示したが、本変形例では、４個の受信側検知端子２２及び１個の送信側検知端子３２を用いる構成を示す。図６に、本変形例によるコネクタユニット２０の平面図（左図（ａ））及びインターフェースユニット３を背面３ａｂ側から見た場合の透過平面図（右図（ｂ））を示す（０度回転接続の場合）。
【００４４】
コネクタユニット２０は、受信側検知端子２２Ｗ、２２Ｙ及び２２Ｚを有する。受信側検知端子２２Ｗ〜２２Ｚを総称して又はいずれか１つを代表して受信側検知端子２２というものとする。また、本開示の各図において、図の明瞭化のため、受信側検知端子２２Ｗ〜２２Ｚをそれぞれ端子内に表記されるアルファベットＷ〜Ｚで示す。インターフェースユニット３は、送信側検知端子３２を有する。例えば、送信側検知端子３２には所定のパルス変調信号が供給される。あるいは、接触伝送の場合には、例えば、送信側検知端子３２にはＤＣ固定値（例えば５Ｖ）などの適宜の検知信号が供給される。方向識別部２５１は、受信側検知端子２２Ｗ〜２２Ｚのいずれで検知信号が受信されるかに基づいて接続方向を識別することができる。
【００４５】
検知信号が受信側検知端子２２Ｗで受信される場合、方向識別部２５１は０度回転接続を識別し、配列決定部２５２は配列維持処理を行う（再配列処理を行わない）。検知信号が受信側検知端子２２Ｙで受信される場合、方向識別部２５１は９０度回転接続を識別し、配列決定部２５２は図４Ａに関して説明した入力データの再配列処理を行う。検知信号が受信側検知端子２２Ｚで受信される場合、方向識別部２５１は１８０度回転接続を識別し、配列決定部２５２は図４Ｂに関して説明した入力データの再配列処理を行う。検知信号が受信側検知端子２２Ｘで受信される場合、方向識別部２５１は−９０度回転接続を識別し、配列決定部２５２は図４Ｃに関して説明した入力データの再配列処理を行う。
【００４６】
本変形例によって、検知信号の構成が簡素化され、制御回路３５（すなわち、インターフェースユニット３）が低コスト化され得る。なお、受信側検知端子２２Ｗを省略してもよく、この場合、第１の変形例における０度回転接続の場合と同様に、信号処理部２５は検知信号の無入力状態に応じてデフォルト設定の処理として配列維持処理を行う（再配列処理を行わない）ように構成されてもよい。これにより、受信側検知端子２２の個数を減少させることができ、コネクタユニット２０（すなわち、表示装置２）が低コスト化され得る。
【００４７】
（３）第３の変形例
上記実施形態では、１個の受信側検知端子２２及び４個の送信側検知端子３２を用いる構成を示したが、本変形例では、２個の受信側検知端子２２及び２個の送信側検知端子３２を用いる構成を示す。図７に、本変形例によるコネクタユニット２０の平面図（左図（ａ））及びインターフェースユニット３を背面３ａｂ側から見た場合の透過平面図（右図（ｂ））を示す（０度回転接続の場合）。
【００４８】
コネクタユニット２０は、受信側検知端子２２Ｗ及び２２Ｘを有する。インターフェースユニット３は、送信側検知端子３２Ｙ及び３２Ｚを有する。例えば、送信側検知端子３２Ｙ及び３２Ｚには所定のパルス変調信号が供給される（このパルス変調信号は同じ信号であってもよい）。あるいは、接触伝送の場合には、例えば、送信側検知端子３２Ｙ及び３２Ｚの各々にはＤＣ固定値（例えば５Ｖ）などの適宜の検知信号が供給される。方向識別部２５１は、受信側検知端子２２Ｗ及び２２Ｘにおける検知信号入力の有無をそれぞれ下位１ビット及び上位１ビットとして認識することができる（例えば、検知信号ありで１、検知信号なしで０）。例えば、受信側検知端子２２Ｗに検知信号入力がなく、受信側検知端子２２Ｘに検知信号入力がある場合、この状態が「０１」として識別される。
【００４９】
０度回転接続の場合、受信側検知端子２２Ｗ及び２２Ｘには送信側検知端子３２Ｙ及び３２Ｚのいずれも対応しない。方向識別部２５１はこの「００」状態に基づいて０度回転接続を識別し、配列決定部２５２はデフォルト設定の処理として配列維持処理を行う（再配列処理を行わない）。９０度回転接続の場合、受信側検知端子２２Ｗには送信側検知端子３２Ｙ及び３２Ｚのいずれも対応せず、受信側検知端子２２Ｘに送信側検知端子３２Ｚが対応する。方向識別部２５１はこの「０１」状態に基づいて９０度回転接続を識別し、配列決定部２５２は図４Ａに関して説明した入力データの再配列処理を行う。１８０度回転接続の場合、受信側検知端子２２Ｗ及び２２Ｘに送信側検知端子３２Ｙ及び３２Ｚの双方が対応する。方向識別部２５１はこの「１１」状態に基づいて１８０度回転接続を識別し、配列決定部２５２は図４Ｂに関して説明した入力データの再配列処理を行う。−９０度回転接続の場合、受信側検知端子２２Ｗに送信側検知端子３２Ｙが対応し、受信側検知端子２２Ｘには送信側検知端子３２Ｙ及び３２Ｚのいずれも対応しない。方向識別部２５１はこの「１０」状態に基づいて−９０度回転接続を識別し、配列決定部２５２は図４Ａに関して説明した入力データの再配列処理を行う。
【００５０】
本変形例によって、受信側検知端子２２及び送信側検知端子３２の総数を減少させることができ、コネクタユニット２０（すなわち、表示装置２）及びインターフェースユニット３が低コスト化され得る。また、検知信号の構成が簡素化され、制御回路３５（すなわち、インターフェースユニット３）が更に低コスト化され得る。
【００５１】
（４）第４の変形例
上記実施形態では、制御回路３５が検知信号を生成する構成を示したが、本変形例では、制御回路３５が検知信号に関与しない構成を示す。図８に、本変形例によるコネクタユニット２０の平面図（左図（ａ））及びインターフェースユニット３を背面３ａｂ側から見た場合の透過平面図（右図（ｂ））を示す（０度回転接続の場合）。本変形例は、上記接触伝送の場合に有効である。
【００５２】
コネクタユニット２０は受信側検知端子２２Ｗ〜２２Ｚを有し、信号処理部２５は受信側検知端子２２のうちの隣接する端子間に電位差を与えるように各端子に電圧を印加する。インターフェースユニット３は、送信側検知端子３２Ｗ、送信側検知端子３２Ｘ、及び送信側検知端子３２Ｗと送信側検知端子３２Ｘを接続する抵抗３３を有する。方向識別部２５１は、抵抗３３によって形成される閉回路の形成箇所に基づいて接続方向を識別する。受信側検知端子２２Ｗ及び２２Ｘについて閉回路が形成される場合、方向識別部２５１は０度回転接続を識別し、配列決定部２５２は配列維持処理を行う（再配列処理を行わない）。受信側検知端子２２Ｗ及び２２Ｙについて閉回路が形成される場合、方向識別部２５１は９０度回転接続を識別し、配列決定部２５２は図４Ａに関して説明した入力データの再配列処理を行う。受信側検知端子２２Ｙ及び２２Ｚについて閉回路が形成される場合、方向識別部２５１は１８０度回転接続を識別し、配列決定部２５２は図４Ｂに関して説明した入力データの再配列処理を行う。受信側検知端子２２Ｘ及び２２Ｚについて閉回路が形成される場合、方向識別部２５１は−９０度回転接続を識別し、配列決定部２５２は図４Ｃに関して説明した入力データの再配列処理を行う。
【００５３】
なお、検知信号の定義として、上記のように信号処理部２５からインターフェースユニット３に送信されて信号処理部２５に戻る信号も、インターフェースユニット３（送信側検知端子３２）から受信側検知端子２２に入力される検知信号ということができる。なお、信号処理部２５（方向識別部２５１）と各受信側検知端子２２との間に適宜の内部抵抗が接続される場合には、抵抗３３は配線接続されるだけでよい（すなわち、短絡されてもよい）。本変形例によると、検知信号の生成が不要となり、制御回路３５（すなわち、インターフェースユニット３）が低コスト化又は小型化され得る。
【００５４】
（５）第５の変形例
上記実施形態では、受信側検知端子２２及び送信側検知端子３２が受信電極２１及び送信電極３１からそれぞれ独立して設けられる構成を示したが、本変形例では、送信側検知端子３２が送信電極３１の一部の電極である構成を示す。図９に、本変形例によるコネクタユニット２０の平面図（左図（ａ））及びインターフェースユニット３を背面３ａｂ側から見た場合の透過平面図（右図（ｂ））を示す（０度回転接続の場合）。
【００５５】
例えば、送信電極３１Ａ〜３１Ｐのうち、送信電極３１Ｃが制御回路３５からクロック信号（クロックパルス）の供給を受けるものとする。０度回転接続の場合には、送信電極３１Ｃに対応する受信電極２１Ｃにクロック信号が供給される。９０度回転接続の場合には、送信電極３１Ｃに対応する受信電極２１Ｅにクロック信号が供給される。１８０度回転接続の場合には、送信電極３１Ｃに対応する受信電極２１Ｎにクロック信号が供給される。−９０度回転接続の場合には、送信電極３１Ｃに対応する受信電極２１Ｌにクロック信号が供給される。
【００５６】
方向識別部２５１は、受信電極２１Ｃ、２１Ｆ、２１Ｎ及び２１Ｌのいずれでクロック信号を受信するかに応じて接続方向を識別する。すなわち、受信電極２１Ｃでクロック信号が受信される場合、方向識別部２５１は０度回転接続を識別し、配列決定部２５２は配列維持処理を行う（再配列処理を行わない）。受信電極２１Ｅでクロック信号が受信される場合、方向識別部２５１は９０度回転接続を識別し、配列決定部２５２は図４Ａに関して説明した入力データの再配列処理を行う。受信電極２１Ｎでクロック信号が受信される場合、方向識別部２５１は１８０度回転接続を識別し、配列決定部２５２は図４Ｂに関して説明した入力データの再配列処理を行う。受信電極２１Ｌでクロック信号が受信される場合、方向識別部２５１は−９０度回転接続を識別し、配列決定部２５２は図４Ｃに関して説明した入力データの再配列処理を行う。
【００５７】
なお、本変形例ではクロック信号が検知信号を兼ねる構成を示すが、映像コンテンツによっては変化せずかつ信号処理部２５において既知の信号であればクロック信号以外の信号（例えば、水平同期信号、垂直同期信号など）が検知信号を兼ねてもよい。また、識別精度の向上の観点から、２つ以上の既知信号が受信される受信電極位置に基づいて接続方向が識別されるようにしてもよい。
【００５８】
本変形例によると、受信側検知端子２２及び送信側検知端子３２が不要となるので、コネクタユニット２０（すなわち、表示装置２）及びインターフェースユニット３が低コスト化又は小型化され得る。また、検知信号の生成が不要となるので、制御回路３５（すなわち、インターフェースユニット３）が低コスト化又は小型化され得る。
【００５９】
（６）第６の変形例
上記第５の変形例では、映像発生装置４からの既知の信号を検知信号として利用する構成を示したが、本変形例では、制御回路３５が既知の信号を検知信号として生成する構成を示す。本変形例のコネクタユニット２０及びインターフェースユニット３の平面図は、図９に示すものと同様である。
【００６０】
例えば、送信電極３１Ａ〜３１Ｐのうち、送信電極３１Ｆが不使用電極であるものとする。制御回路３５は、入力信号には含まれない形式の波形である検知信号用の特殊な信号（以下、「特殊検知信号」という）を生成し、その特殊検知信号を送信電極３１Ｆに供給する。この特殊検知信号は、信号処理部２５において既知であるものとする。０度回転接続の場合には、送信電極３１Ｆに対応する受信電極２１Ｆに特殊検知信号が供給される。９０度回転接続の場合には、送信電極３１Ｆに対応する受信電極２１Ｊに特殊検知信号が供給される。１８０度回転接続の場合には、送信電極３１Ｆに対応する受信電極２１Ｋに特殊検知信号が供給される。−９０度回転接続の場合には、送信電極３１Ｆに対応する受信電極２１Ｇに特殊検知信号が供給される。
【００６１】
方向識別部２５１は、受信電極２１Ｆ、２１Ｊ、２１Ｋ及び２１Ｇのいずれで特殊検知信号を受信するかに応じて接続方向を識別する。すなわち、受信電極２１Ｆで特殊検知信号が受信される場合、方向識別部２５１は０度回転接続を識別し、配列決定部２５２は配列維持処理を行う（再配列処理を行わない）。受信電極２１Ｊで特殊検知信号が受信される場合、方向識別部２５１は９０度回転接続を識別し、配列決定部２５２は図４Ａに関して説明した入力データの再配列処理を行う。受信電極２１Ｋで特殊検知信号が受信される場合、方向識別部２５１は１８０度回転接続を識別し、配列決定部２５２は図４Ｂに関して説明した入力データの再配列処理を行う。受信電極２１Ｇで特殊検知信号が受信される場合、方向識別部２５１は−９０度回転接続を識別し、配列決定部２５２は図４Ｃに関して説明した入力データの再配列処理を行う。
【００６２】
本変形例によると、受信側検知端子２２及び送信側検知端子３２が不要となるので、コネクタユニット２０（すなわち、表示装置２）及びインターフェースユニット３が低コスト化又は小型化され得る。
【００６３】
（７）第７の変形例
上記実施形態では、送信側検知端子３２が送信電極３１から独立して設けられる構成を示したが、本変形例では、送信電極３１に不使用電極がある場合に、実質的にその不使用電極が送信側検知端子３２の役割を果たす構成を示す。図１０に、本変形例によるコネクタユニット２０の平面図（左図（ａ））及びインターフェースユニット３を背面３ａｂ側から見た場合の透過平面図（右図（ｂ））を示す（０度回転接続の場合）。
【００６４】
例えば、送信電極３１Ａ〜３１Ｐのうち、送信電極３１Ｄ及び３１Ｎが不使用電極であるものとする。本例では送信電極３１Ｄ及び３１Ｎの実装が省略されているが、送信電極３１Ｄ及び３１Ｎの実装は残されていてもよい。０度回転接続の場合には、送信電極３１Ｄ及び３１Ｎの実装省略位置に対応する受信電極２１Ｄ及び２１Ｎが無入力状態となる。９０度回転接続の場合には、送信電極３１Ｄ及び３１Ｎの実装省略位置に対応する受信電極２１Ａ及び２１Ｌが無入力状態となる。１８０度回転接続の場合には、送信電極３１Ｄ及び３１Ｎの実装省略位置に対応する受信電極２１Ｍ及び２１Ｃが無入力状態となる。−９０度回転接続の場合には、送信電極３１Ｄ及び３１Ｎの実装省略位置に対応する受信電極２１Ｐ及び２１Ｅが無入力状態となる。
【００６５】
方向識別部２５１は、受信電極２１のうちの上記いずれの組合せが無入力状態となるかに応じて接続方向を識別する。すなわち、受信電極２１Ｄ及び２１Ｎが無入力状態となる場合、方向識別部２５１は０度回転接続を識別し、配列決定部２５２は配列維持処理を行う（再配列処理を行わない）。受信電極２１Ａ及び２１Ｌが無入力状態となる場合、方向識別部２５１は９０度回転接続を識別し、配列決定部２５２は図４Ａに関して説明した入力データの再配列処理を行う。受信電極２１Ｍ及び２１Ｃが無入力状態となる場合、方向識別部２５１は１８０度回転接続を識別し、配列決定部２５２は図４Ｂに関して説明した入力データの再配列処理を行う。受信電極２１Ｐ及び２１Ｅが無入力状態となる場合、方向識別部２５１は−９０度回転接続を識別し、配列決定部２５２は図４Ｃに関して説明した入力データの再配列処理を行う。
【００６６】
なお、本変形例では、２個の不使用電極を利用して接続方向を識別する構成を示すが、１個又は３個以上の不使用電極を利用して接続方向を識別してもよい。ただし、比較的長期間にわたってローレベルとなる電極と無入力状態の電極とを区別するために、又は回転対称位置に複数の不使用電極が存在し得ることを考慮して、回転対称位置にない２個以上の不使用電極を接続方向の識別に利用することが望ましい。すなわち、複数の不使用電極が接続方向の識別に利用される場合には、当該複数の不使用電極が９０度回転対称位置の組合せ（例えば、Ａ及びＰなど）にないことが条件となる。
【００６７】
本変形例によると、受信側検知端子２２及び送信側検知端子３２が不要となるので、コネクタユニット２０（すなわち、表示装置２）及びインターフェースユニット３が低コスト化又は小型化され得る。また、検知信号の生成が不要となるので、制御回路３５（すなわち、インターフェースユニット３）が低コスト化又は小型化され得る。
【００６８】
以上説明したように、本実施形態の表示装置２は、複数の送信電極３１を有する平板状のインターフェースユニット３が対向配置される所定領域においてインターフェースユニット３の面内回転角によって定義される複数の接続方向で対向配置される複数の送信電極３１から入力信号を受信するように配置された複数の受信電極２１を有するコネクタユニット２０と、入力信号に含まれる入力データの配列を接続方向に応じて決定する信号処理部２５と、信号処理部２５によって決定された配列の入力データに応じて映像出力処理を行う表示出力部（２６〜２９）とを備える。また、インターフェースユニット３は、基板３ａと、基板３ａに固定されたケーブル３０と、基板３ａに配置された複数の送信電極３１と、ケーブル３０から受信される入力信号を複数の送信電極３１のうちの対応する送信電極３１に供給する制御回路３５とを備える。
【００６９】
このように、インターフェースユニット３がその平面内の回転に関して複数の接続方向でコネクタユニット２０に接続可能となり、インターフェースユニット３からの入力信号に含まれる入力データが信号処理部２５によって接続方向に応じて配列される。これにより、薄型性を保持しつつケーブル３０乃至ケーブルＣの取り回しの適正化を可能とする表示装置２が実現される。また、このような表示装置２に適したインターフェースユニット３、及び表示装置２を用いた表示システム１が実現される。
【００７０】
ここで、複数の受信電極２１は９０度回転対称に配置されることが好ましい。同様に、複数の送信電極３１も９０度回転対称に配置され、又はその配置から不使用電極が除かれて配置されることが好ましい。これにより、表示装置２に関して上下左右の方向にケーブル３０（ケーブルＣ）を取り回すことが可能となり、表示装置２へのケーブル接続の設置容易性が高まる。
【００７１】
また、コネクタユニット２０は受信側検知端子２２を備え、インターフェースユニット３は送信側検知端子３２を備える。制御回路３５は検知信号を送信側検知端子３２に送信するように構成され、信号処理部２５は、送信側検知端子３２から受信側検知端子２２に入力される検知信号に基づいて接続方向を識別する方向識別部２５１及びその接続方向に応じて入力データの配列を決定する配列決定部２５２を含む。これにより、簡素な態様で確実に接続方向を識別する構成が実現される。
【００７２】
また、入力信号などが複数の送信電極３１から複数の受信電極２１に電磁界結合によって非接触伝送されるようにインターフェースユニット３及びコネクタユニット２０が構成され得る。これにより、インターフェースユニット３及びコネクタユニット２０の対向面が露出せずに、防湿性、防汚性の向上はもちろんのこと、表示装置付近に滞留しがちな埃、塵などに対して防埃性、防塵性が高まり、接続における信頼性が向上する。
【００７３】
一方、入力信号などが複数の送信電極３１と複数の受信電極２１との間の物理的な接触を介して伝送されるようにインターフェースユニット３及びコネクタユニット２０が構成されてもよい。これにより、入力信号などの確実な伝送が可能となる。また、制御回路３５及び信号処理部２５において非接触伝送のための処理（必要に応じて、入力信号の信号形式の変換、受信側における入力信号の増幅、パルス成形など）が実質的に不要となり、インターフェースユニット３及び表示装置２が低コスト化される。
【００７４】
なお、コネクタユニット２０は、表示面２ａの背面２ｂに設けられる。表示装置２の背面２ｂはコネクタユニット２０に対して十分に面積が広く、したがってコネクタユニット２０の配置における高い自由度が得られる。
【００７５】
［第２実施形態］
上記第１実施形態では、コネクタユニット２０に対してインターフェースユニット３が９０度回転ごとに４方向から接続可能な構成を示した。本実施形態では、この９０度回転可能な構成を前提として、インターフェースユニット３が表示装置２の背面２ｂに対して嵌合部材又は係合部材によって取り付けられる構成を示す。本実施形態において、第１実施形態と同様の構成には同様の符号を付し、その説明を省略又は簡略化する。
【００７６】
（１）第１の実施例
図１１に、本実施形態の第１の実施例による表示装置２及びインターフェースユニット３を示す側方断面図である。図１１（ａ）は表示装置２に対してインターフェースユニット３が接続されていない状態を示し、図１１（ｂ）は表示装置２に対してインターフェースユニット３が接続された状態を示す。
【００７７】
表示装置２の背面２ｂは、背面２ｂに平行な平面内で９０度回転対称な形状の凹部４００を有する。凹部４００は、底面４０１、側面４０２及びテーパ面４０３によって画定される。底面４０１は背面２ｂに実質的に並行であり、底面４０１にはコネクタユニット２０を構成する受信電極２１及び受信側検知端子２２が実装された入力領域４０５（例えば、基板２０ａ）が配置される。側面４０２は、底面４０１を囲みかつ底面４０１から略垂直な面である。テーパ面４０３は、側面４０２に連続して表示装置２の外側に向かって拡がる開口を画定する傾斜面である。側面４０２及びテーパ面４０３も、背面２ｂに平行な平面内で９０度回転対称な形状を有する。
【００７８】
インターフェースユニット３（基板３ａ）は主面５０１（主面３ａａ）、テーパ面５０３及び背面５０４（背面３ａｂ）を有し、主面５０１及びテーパ面５０３は面内で９０度回転対称な形状を有する。本例では、インターフェースユニット３の筐体３ｃは設けられない。あるいは、主面５０１、テーパ面５０３及び背面５０４が筐体（３ｃ）を構成し、主面５０１に基板３ａが配置されてもよい。主面５０１には、送信電極３１及び送信側検知端子３２が実装された出力領域５０５が配置される。テーパ面５０３は、凹部４００のテーパ面４０３に対応する傾斜面である。背面５０４には、ケーブル３０が実装及び固定される。
【００７９】
図１１（ｂ）に示すように、インターフェースユニット３の接続時にテーパ面５０３がテーパ面４０３に当接された場合に、表示装置２の背面２ｂとインターフェースユニット３の背面５０４が面一になるように構成され得る。送信電極３１（及び送信側検知端子３２）が受信電極２１（及び受信側検知端子２２）に非接触結合される場合には、出力領域５０５と入力領域４０５との間に適切な空間Ｓ１（又はクリアランス）が設けられるように側面４０２の高さが決定される。送信電極３１（及び送信側検知端子３２）が受信電極２１（及び受信側検知端子２２）に接触結合される場合には、出力領域５０５が入力領域４０５に当接配置されるように側面４０２の高さが決定される。あるいは、側面４０２が設けられずに、テーパ面４０３が底面４０１に連続するように凹部４００が形成されてもよい。
【００８０】
なお、送信電極３１（及び送信側検知端子３２）が受信電極２１（及び受信側検知端子２２）に非接触結合される場合には、入力領域４０５は底面４０１に対応する位置において表示装置２の背面２ｂの内部に配置されてもよい。この場合、出力領域５０５は底面４０１に当接配置されてもよく、側面４０２が設けられずにテーパ面４０３が底面４０１に連続するように凹部４００が形成されてもよい。
【００８１】
上記のように、インターフェースユニット３は、その全体で凹部４００に嵌合されることによってコネクタユニット２０に対して位置決めされる。凹部４００に対するインターフェースユニット３の固定には、第１実施形態と同様に磁石を用いた構成が利用され得る。
【００８２】
（２）第２の実施例
図１２に、本実施形態の第２の実施例による表示装置２及びインターフェースユニット３を示す所定箇所の側方断面図である。図１２（ａ）は表示装置２に対してインターフェースユニット３が接続されていない状態を示し、図１２（ｂ）は表示装置２に対してインターフェースユニット３が接続された状態を示す。
【００８３】
表示装置２の背面２ｂは、凹部４５０を有する。凹部４５０は、底面４５１及び側面４５２によって画定される。底面４５１は背面２ｂに実質的に並行であり、底面４５１にはコネクタユニット２０を構成する受信電極２１及び受信側検知端子２２が実装された入力領域４０５が配置される。側面４５２は、底面４５１を囲みかつ底面４０１から略垂直な面である。底面４５１には、突起部４５５が、底面４５１に対して平行な平面内で９０度回転対称な位置（例えば、矩形の底面４５１の四隅）において底面４５１に対して垂直に立設される。なお、突起部４５５は、棒状部材（すなわち、ピン）であってもよいし、図１２の奥行方向に延在する壁状部材であってもよい。また、突起部４５５は、背面２ｂ（底面４５１）に一体形成されていてもよいし、別体として形成されていてもよい。
【００８４】
インターフェースユニット３は、主面５５１及び背面５５４を有する。主面５５１の中央には、出力領域５０５（送信電極３１及び送信側検知端子３２）が配置される。主面５５１の縁部には、突起部４５５に対応する位置に受容部５５５が設けられる。したがって、受容部５５５は、主面５５１に対して平行な平面内で９０度回転対称な位置（例えば、矩形の主面５５１の四隅）に設けられる。突起部４５５がピンである場合には受容部５５５は孔であり、突起部４５５が壁状部材である場合には受容部５５５は溝である。背面５５４には、ケーブル３０が実装及び固定される。
【００８５】
図１２（ｂ）に示すように、インターフェースユニット３の接続時には、突起部４５５が受容部５５５に嵌合される。送信電極３１（及び送信側検知端子３２）が受信電極２１（及び受信側検知端子２２）に非接触結合される場合には、入力領域４０５と出力領域５０５との間に適切な空間Ｓ２（又はクリアランス）が設けられるように突起部４５５及び受容部５５５が形成される。送信電極３１（及び送信側検知端子３２）が受信電極２１（及び受信側検知端子２２）に接触結合される場合には、出力領域５０５が入力領域４０５に当接配置されるように突起部４５５及び受容部５５５が形成される。
【００８６】
なお、送信電極３１（及び送信側検知端子３２）が受信電極２１（及び受信側検知端子２２）に非接触結合される場合には、入力領域４０５は底面４５１に対応する位置において表示装置２の背面２ｂ内部に配置されてもよい。この場合、出力領域５０５と底面４５１とは当接配置されてもよい。また、図１２に示す態様とは逆に、インターフェースユニット３の主面５０１に突起部（ピン又は壁状部材）を設け、表示装置２の背面２ｂ（底面４５１）にその突起部に対応する受容部（孔又は溝）が設けられてもよい。また、本例では、インターフェースユニット３がコネクタユニット２０に接続された状態でインターフェースユニット３の主面５５１と表示装置２の背面２ｂが面一となる構成を示したが、主面５５１と背面２ｂの深さ方向の位置関係はこれに限られない。すなわち、主面５５１は、背面２ｂよりも表示装置２の外側（図１２において上方）に位置してもよいし、表示装置２の内側（図１２において下方）に位置してもよい。
【００８７】
上記のように、突起部４５５及び受容部５５５に嵌合することによって、インターフェースユニット３がコネクタユニット２０に対して位置決めされる。凹部４５０に対するインターフェースユニット３の固定は、第１実施形態と同様に磁石を用いた構成が利用されてもよい。
【００８８】
以上のように、本実施形態の表示装置２は、コネクタユニット２０は、インターフェースユニット３が嵌合される凹部４００、又はインターフェースユニット３の一部分に対して嵌合される突起部４５５若しくは受容部（不図示）を有する。また、第１実施形態の表示装置２と同様に、コネクタユニット２０は、インターフェースユニット３を位置決めするように構成された磁石若しくは磁性体（不図示）を有していてもよい。また、インターフェースユニット３は、コネクタユニット２０に嵌合される全体形状又はコネクタユニット２０の一部分に対して嵌合される受容部５５５若しくは突起部（不図示）を有する。また、第１実施形態の表示装置２と同様に、インターフェースユニット３は、コネクタユニット２０に位置決めされるように構成された磁石若しくは磁性体（不図示）を有していてもよい。
【００８９】
これにより、上記第１実施形態における有利な効果が得られるとともに、コネクタユニット２０に対するインターフェースユニット３の位置決め及び固定が促進される。したがって、ケーブル３０乃至ケーブルＣを表示装置２に接続する際の作業性が高まる。
【００９０】
［変形実施形態］
以上に本発明の好適な実施形態を示したが、本発明は、例えば以下に示すように種々の態様に変形可能である。
【００９１】
（１）インターフェースユニット３の接続方向に関する変形
上記各実施形態では、コネクタユニット２０に対するインターフェースユニット３の接続方向について、９０度ごとに４方向に回転接続可能な構成を示した。一方、接続方向が９０度ごとに３方向に回転接続可能な構成又は接続方向が１８０度ごとに２方向に回転接続可能な構成にも本発明は適用可能である。接続方向が１８０度ごとに２方向に回転接続可能な構成では、コネクタユニット２０の受信電極２１及びインターフェースユニット３の送信電極３１は、１８０度回転対称な配置であればよい。この場合、コネクタユニット２０の受信側検知端子２２及びインターフェースユニット３の送信側検知端子３２の配置も、１８０度回転接続が検出可能な態様で配置される。
【００９２】
（２）インターフェースユニット３の接続面に関する変形
上記第１実施形態では、インターフェースユニット３の主面３ａａがコネクタユニット２０に対向配置される構成を示したが、インターフェースユニット３の主面３ａａ及び背面３ａｂのいずれでもコネクタユニット２０に結合可能な構成も可能である。この場合、受信側検知端子２２及び送信側検知端子３２並びに信号処理部２５（方向識別部２５１）は、接続方向だけでなく接続面（主面３ａａ又は背面３ａｂ）を識別可能な態様で構成される。すなわち、受信電極２１及び受信側検知端子２２と送信電極３１及び送信側検知端子３２とは表裏を問わずに非接触結合される。方向識別部２５１は接続面及び接続方向を受信側検知端子２２に対する送信側検知端子３２の配置に基づいて判定し、配列決定部２５２はこの判定に基づいて入力データの配列決定処理を行う。これにより、ユーザはインターフェースユニット３の表裏を確認することなくインターフェースユニット３を表示装置２に接続することができ、その作業性が向上する。
【符号の説明】
【００９３】
１  表示システム
２  表示装置
２ｂ  背面
３  インターフェースユニット
２０  コネクタユニット
２１、２１Ａ〜２１Ｐ  受信電極
２２、２２Ｗ〜２２Ｚ  受信側検知端子
２５  信号処理部
３０  入力信号ケーブル
３１、３１Ａ〜３１Ｐ  送信電極
３２、３２Ｗ〜３２Ｚ  送信側検知端子
３５  制御回路
２５１  方向識別部
２５２  配列決定部
４００、４５０  凹部
４５５  突起部
５５５  受容部
【図１】
2020102063.tif 000003
【図２】
2020102063.tif 000004
【図３】
2020102063.tif 000005
【図４Ａ】
2020102063.tif 000006
【図４Ｂ】
2020102063.tif 000007
【図４Ｃ】
2020102063.tif 000008
【図５】
2020102063.tif 000009
【図６】
2020102063.tif 000010
【図７】
2020102063.tif 000011
【図８】
2020102063.tif 000012
【図９】
2020102063.tif 000013
【図１０】
2020102063.tif 000014
【図１１】
2020102063.tif 000015
【図１２】
2020102063.tif 000016